(57)【要約】  開口部（４）を有するケース（２）と、ケース（２）内に配置されたニードル・アセンブリ収納コンパートメント（６）のアレイ（５）と、複数のニードル・アセンブリ収納コンパートメント（６）にカップリングされた輸送機構と、ケース（２）にカップリングされたハンドル（１０）とを備えるニードル・アセンブリ収納デバイス（１）について述べられている。ハンドル（１０）が第１の位置から第２の位置に移動したとき、輸送機構は、ケース（２）内で複数のニードル・アセンブリ収納コンパートメント（６）を移動し、所与の１つのニードル・アセンブリ収納コンパートメント（６）を開口部（４）と位置合わせする。【選択図】  図３
2014522262.tif 000002
【特許請求の範囲】
【請求項１】
開口部（４）を有するケース（２）と、
ケース（２）内に配置されたニードル・アセンブリ収納コンパートメント（６）のアレイ（５）と、
複数のニードル・アセンブリ収納コンパートメント（６）にカップリングされた輸送機構と、
ケース（２）にカップリングされたハンドル（１０）と
を備え、ハンドル（１０）が第１の位置から第２の位置に移動したとき、輸送機構は、ケース（２）内で複数のニードル・アセンブリ収納コンパートメント（６）を動かし、所与の１つのニードル・アセンブリ収納コンパートメント（６）を開口部（４）と位置合わせする、ニードル・アセンブリ収納デバイス（１）。
【請求項２】
ケース（２）は、第２の部分に取外し可能にカップリングされた第１の部分を備える、請求項１に記載のニードル・アセンブリ収納デバイス（１）。
【請求項３】
ハンドル（１０）は、回転可能かヒンジ式の一方でケース（２）に取り付けられる、請求項１または２に記載のニードル・アセンブリ収納デバイス（１）。
【請求項４】
ハンドル（１０）はカバー部分（１５）を含み、ハンドル（１０）が第１の位置にあるとき、カバー部分（１５）は、開口部（４）を覆う、請求項１〜３のいずれか１項に記載のニードル・アセンブリ収納デバイス（１）。
【請求項５】
ハンドル（１０）は穴（１６）を含み、ハンドル（１０）が第２の位置にあるとき、穴（１６）は、開口部（４）と位置合わせされる、請求項１〜４のいずれか１項に記載のニードル・アセンブリ収納デバイス（１）。
【請求項６】
ハンドル（１０）は、第１の位置で付勢される、請求項１〜５のいずれか１項に記載のニードル・アセンブリ収納デバイス（１）。
【請求項７】
輸送機構は、
少なくとも１つの区分（１４）を有する輸送ホイール（７）を含み、少なくとも１つの区分（１４）のそれぞれは、所与の１つのニードル・アセンブリ収納コンパートメント（６）と係合する、請求項１〜６のいずれか１項に記載のニードル・アセンブリ収納デバイス（１）。
【請求項８】
輸送ホイール（７）は、ハンドル（１０）が第１の位置と第２の位置との間で移動したとき、所定のステップ距離だけ回転する、請求項７に記載のニードル・アセンブリ収納デバイス（１）。
【請求項９】
輸送機構は、
ハンドル（１０）および輸送ホイール（７）にカップリングされた心棒（８）と、
心棒（８）にカップリングされた制限部材（１７）と、
ストップ（１８）とを含み、
ハンドル（１０）が第１の位置と第２の位置との間で移動したとき、心棒（８）が回転し、制限部材（１７）がストップ（１８）と当接する、請求項７に記載のニードル・アセンブリ収納デバイス（１）。
【請求項１０】
ハンドル（１０）は円板（２０）である、請求項１〜９のいずれか１項に記載のニードル・アセンブリ収納デバイス（１）。
【請求項１１】
円板（２０）は、複数の開口部（２２）を含む、請求項１０に記載のニードル・アセンブリ収納デバイス（１）。
【発明の詳細な説明】
【技術分野】
【０００１】
本発明は、ペン注射器および自動注射器など注射デバイスと共に使用されるニードル・アセンブリを収納するためのニードル・アセンブリ収納デバイスに関する。
【背景技術】
【０００２】
糖尿病のような病気を煩う患者は、注射を頻繁に自己投与しなければならない。注射を自己投与するのを容易にするために、自動注射器またはペン注射器のような注射デバイスが開発されている。一般に、そのような注射デバイスは、使い捨て、または再使用可能な形態で実施され、感染の危険性を最小限に抑えるために無菌の注射針アセンブリが補給される。しかし、そのようなニードル・アセンブリは、概して箱に梱包されて届けられ、これは、患者が輸送するのに不都合である。この問題を解決するために、ニードル・アセンブリ収納デバイスが開発された。従来のニードル・アセンブリ収納デバイスは、可搬の容器内に配置された複数の注射針アセンブリを収納する。そのような従来のニードル・アセンブリ収納デバイスが、特許文献１および特許文献２に論じられている。
【０００３】
しかし、ニードル・アセンブリの可搬性を従来のように実現し、使用済みニードル・アセンブリの配置を可能にするニードル・アセンブリ収納デバイスが依然として求められている。
【先行技術文献】
【特許文献】
【０００４】
【特許文献１】米国特許第７１３４５５０号
【特許文献２】ＷＯ２００９／１３６１９３
【特許文献３】ＥＰ１１１６４２８５．６
【発明の概要】
【発明が解決しようとする課題】
【０００５】
本発明の目的は、ニードル・アセンブリを収納および配置するための改善されたデバイスを提供することである。
【課題を解決するための手段】
【０００６】
例示的な一実施形態では、本発明は、開口部を有するケースと、ケース内に配置されたニードル・アセンブリ収納コンパートメントのアレイと、複数のニードル・アセンブリ収納コンパートメントにカップリングされた輸送機構と、ケースにカップリングされたハンドルとを備えるニードル・アセンブリ収納デバイスである。ハンドルが第１の位置から第２の位置に移動したとき、輸送機構は、ケース内で複数のニードル・アセンブリ収納コンパートメントを動かし、所与の１つのニードル・アセンブリ収納コンパートメントを開口部と位置合わせする。
【０００７】
例示的な一実施形態では、第２の部分に取外し可能にカップリングされた第１の部分を備える。
【０００８】
例示的な一実施形態では、ハンドルは、回転可能かヒンジ式の一方でケースに取り付けることができる。ハンドルはカバー部分を含むことができ、ハンドルが第１の位置にあるとき、カバー部分は、開口部を覆うことができる。ハンドルは穴を含むことができ、ハンドルが第２の位置にあるとき、穴は、開口部と位置合わせされ得る。ハンドルは、第１の位置で付勢されてもよい。
【０００９】
例示的な一実施形態では、輸送機構は少なくとも１つの区分を有する輸送ホイールを含み、少なくとも１つの区分のそれぞれは、所与の１つのニードル・アセンブリ収納コンパートメントと係合する。輸送ホイールは、ハンドルが第１の位置と第２の位置との間で移動したとき、所定のステップ距離だけ回転することができる。輸送機構は、ハンドルおよび輸送ホイールにカップリングされた心棒と、心棒にカップリングされた制限部材と、ストップとを含むことができる。ハンドルが第１の位置と第２の位置との間で移動したとき、心棒が回転することができ、制限部材がストップと当接することができる。
【００１０】
例示的な一実施形態では、ハンドルは、円板状であり、複数の開口部を有することができる。
【００１１】
本発明の他の適用可能性の範囲は、以下に示される詳細な説明から明らかになろう。しかし、詳細な説明および特定の例は、本発明の好ましい実施形態を示してはいるが、当業者には、この詳細な説明から、本発明の精神および範囲内で様々な変更および修正が明らかになるので、例示のために与えられているにすぎないことを理解されたい。
【００１２】
本発明は、以下に与えられている詳細な説明、および例示のために与えられているにすぎず、したがって本発明を限定するものではない添付の図面から、より十分に理解されることになる。
【図面の簡単な説明】
【００１３】
【図１】本発明による例示的な一実施形態における、ハンドルが第１のハンドル位置にあるニードル・アセンブリ収納デバイスの斜視図である。
【図２】本発明による例示的な一実施形態における、ハンドルが第２のハンドル位置にあるニードル・アセンブリ収納デバイスの斜視図である。
【図３】本発明による例示的な一実施形態における、開いたケースと１つの収納コンパートメントを有するニードル・アセンブリ収納デバイスの斜視図である。
【図４】本発明による例示的な一実施形態におけるニードル・アセンブリ収納デバイスの斜視図である。
【図５】本発明による例示的な一実施形態における、開いたケースを有するニードル・アセンブリ収納デバイスの斜視図である。
【図６】本発明による例示的な一実施形態における、開いたケースと円板を有するニードル・アセンブリ収納デバイスの斜視図である。
【発明を実施するための形態】
【００１４】
対応する部分は、すべての図において同じ符号でマークされている。
【００１５】
図１〜５は、本発明によるニードル・アセンブリ収納デバイス１の例示的な一実施形態を示す。例示的な一実施形態では、ニードル・アセンブリ収納デバイス１は、ニードル・アセンブリ収納コンパートメント６のアレイ５を収納するためのキャビティ３が形成されたケース２を備える。
【００１６】
図１の例示的な実施形態に示されているように、ケース２は、アレイ５の半分に実質的に等しい長さと、２つのニードル・アセンブリ収納コンパートメント６の幅の和に実質的に等しい幅とを有する細長い（楕円形または矩形）形状を有することができる。ケース２は、第２の部分に取外し可能に取り付けられた第１の部分を備えることができる。たとえば、収納デバイス１内のすべてのニードル・アセンブリを使い終わったとき、ケース２を開き、キャビティ３を露出し、未使用のニードル・アセンブリを収納しているニードル・アセンブリ収納コンパートメント６のアレイ５を挿入することができる。ケース２にロックを配置し、第１および第２の位置を閉じた位置でロックしてもよい。
【００１７】
例示的な一実施形態では、ハンドル１０は、図１に示されているように、ケース２上に配置されてもよい。ハンドル１０は、ケース２上に（たとえば、軸９上で）回転可能に取り付けても、（たとえば、スイッチとして）ヒンジ式で取り付けてもよく、ニードル・アセンブリへのアクセスを可能にし、アレイ５をケース２内で前進させるために使用することができる。
【００１８】
ハンドル１０は、第１の位置（図１）と第２の位置（図２）の間で移動可能とすることができる。第１の位置では、ハンドル１０のカバー部分１５が、ケース２に形成された開口部４を覆うことができる。第２の位置では、カバー部分１５を開口部４から変位させることができる。例示的な一実施形態では、ハンドル１０は、ハンドル１０が第２の位置にあるとき開口部と位置合わせされ得る穴を含むことができる。穴１６および開口部４は、注射デバイス（たとえば、ペン注射器、自動注射器など）の遠位端を受容するように適合させることができ、穴１６および／または開口部４は、注射デバイスの長手方向軸がニードル・アセンブリの長手方向軸と位置合わせされるように注射デバイスの遠位端をニードル・アセンブリ内に案内することができる。所与の１つのニードル・アセンブリ収納コンパートメント６の開口部１２が開口部４と位置合わせされ、ハンドル１０が第２の位置にあるとき、注射デバイスを挿入し、ニードル・アセンブリと係合する、またはニードル・アセンブリを係合解除することができる（ニードル・アセンブリの針１１が注射デバイス内のセプタムを穿刺することを可能にする）。ハンドル１０は、（たとえば、ばねによって）第１の位置で付勢されてもよい。他の例示的な実施形態では、ハンドル１０は、第１の位置と第２の位置との間を手で移動可能なものであってもよい。
【００１９】
図３は、ニードル・アセンブリ収納コンパートメント６のアレイ５をケース２内で前進させるための輸送機構の例示的な一実施形態を示す。例示的な一実施形態では、輸送機構は、ハンドル１０の移動と共に回転する心棒８を含む。輸送ホイール７が心棒８にカップリングされてもよい。例示的な一実施形態では、輸送ホイール７は、複数の区分１４を含み、各区分は、ニードル・アセンブリ収納コンパートメント６と係合するように適合される。区分１４は、ニードル・アセンブリ収納コンパートメント６の円筒形の外側表面１３を少なくとも部分的に取り囲むために凹形の形状を有することができる。例示的な一実施形態では、ハンドル１０が第２の位置に移動されるたびに、心棒８が回転し、輸送ホイール７は、ニードル・アセンブリ収納コンパートメント６の幅に実質的に等しいステップ距離だけアレイ５を前進させ、それによりニードル・アセンブリ収納コンパートメント６を開口部４と位置合わせする。輸送ホイール７は、区分１４によって係合されたニードル・アセンブリ収納コンパートメント６をステップ距離だけ移動することによってアレイ５を前進させることができる。
【００２０】
他の例示的な実施形態では、輸送ホイール７は、ハンドル１０が第２の位置から第１の位置に移動したとき回転する。たとえば、ユーザは、ハンドル１０を第２の位置に移動し、開口部４を介して未使用のニードル・アセンブリを係合し、注射を投与し、開口部を介して使用済みニードル・アセンブリを同じニードル・アセンブリ収納コンパートメント内に挿入し、ハンドルを第１の位置に戻すことができる。ハンドル１０が第２の位置から第１の位置に移動したとき、輸送ホイール７が回転し、その後でハンドル１０が第１の位置から第２の位置に移動したとき未使用のニードル・アセンブリを有するニードル・アセンブリ収納コンパートメント６が開口部４と位置合わせされるようにニードル・アセンブリ収納コンパートメント６のアレイ５を前進させる。
【００２１】
他の例示的な実施形態では、ハンドル１０の第１の位置および第２の位置は、図１および図２に示されているようなものであってよい。しかし、第２の位置への移動により、輸送ホイール７を回転させなくてもよい。したがって、第１の位置を使用して開口部４を覆ってもよく、第２の位置を使用し、開口部４の下にあるニードル・アセンブリ収納コンパートメント６を露出させてもよい。ハンドル１０の第３の位置への移動を使用し、輸送ホイール７を回転させ、アレイ５を前進させてもよい。この例示的な実施形態では、ユーザは、ハンドル１０を第２の位置に移動し、開口部４を介して未使用のニードル・アセンブリを係合し、注射を投与し、開口部を介して使用済みニードル・アセンブリを同じニードル・アセンブリ収納コンパートメント内に挿入し、ハンドルを第１の位置に戻すことができる。未使用のニードル・アセンブリが必要とされるとき、ハンドル１０を第３の位置に移動させることができる。
【００２２】
図４は、ニードル・アセンブリ収納コンパートメント６のアレイ５の例示的な一実施形態を示す。アレイ５は、ニードル・アセンブリ収納コンパートメント６の柔軟なチェインとすることができ、連続するニードル・アセンブリ収納コンパートメント６がヒンジによって連結されてもよい。アレイ５は、単一の射出成形プロセスによって生産することができる。ループを形成するために、アレイ５の対向する端部を（たとえば、接着剤、溶接、機械的な連結などを介して）カップリングすることができる。アレイ５は、ケース２内に形成された、および／またはアレイ５に取り付けられたトラック２３周りに配置されてもよい。トラック２３は、心棒８に隣接する第１の端部と、心棒８の反対側のケース２の端部にある第２の端部とを有することができる。ニードル・アセンブリおよびニードル・アセンブリ収納コンパートメント６は、使用済みニードル・アセンブリの再使用を防止するためにロッキング機能を含むことができる。これらのロッキング機能は、それだけには限らないが、特許文献３に記載のものを含むことができ、この特許文献の全体を参照により本明細書に組み込む。
【００２３】
図５は、本発明による輸送機構の例示的な一実施形態を示す。例示的な一実施形態では、心棒８は、ハンドル１０が第１の位置から第２の位置に移動したとき心棒８が回転するように、ハンドル１０にカップリングされる。輸送ホイール７は、心棒８の回転により輸送ホイール７が対応して回転するように、心棒８にカップリングされてもよい。制限部材１７もまた心棒８にカップリングされ、心棒８と共に回転してもよい。例示的な一実施形態では、制限部材１７は、心棒８がステップ距離に等しい回転距離だけ回転したときストップ１８に当接する当接面１９を含むことができる。例示的な一実施形態では、この所定の回転距離は、当接面１９がストップ１８に当接したとき、ハンドル１０内の穴１６が開口部４と位置合わせされるように設定される。ばね（図示せず）を心棒８にカップリングし、ハンドル１０を一方の位置で付勢してもよい。
【００２４】
図６は、ハンドル１０の他の例示的な実施形態を示す。図６に示されている例示的な実施形態では、ハンドル１０は、ニードル・アセンブリ収納コンパートメント６にアクセスできるようにケース２の開口部と位置合わせされ得る複数の開口部２２を含む円板２０として形成される。円板２０は、ケース２内に少なくとも部分的に包まれても、完全にケース２の外にあってもよい。円板２０がケース２内に少なくとも部分的に包まれる場合、円板２０の一部分を露出し、手で動かすことができるように、開口部２１をケース２に形成することができる。円板２０を、上述のように輸送機構にカップリングし、アレイ５をケース２内で前進させることができる。開口部４を覆うことができるように、円板２０内の連続する開口部２２間に、カバー部分を配置してもよい。
【００２５】
当業者なら、本明細書に記載のデバイスおよび／またはシステムならびに実施形態の様々な構成要素の修正（追加および／または除去）を、そのような修正およびそのあらゆる均等物を包含する本発明の完全な範囲および精神から逸脱することなしに加えることができることを理解するであろう。
【符号の説明】
【００２６】
１  ニードル・アセンブリ収納デバイス
２  ケース
３  キャビティ
４  ケースの開口部
５  アレイ
６  ニードル・アセンブリ収納コンパートメント
７  輸送ホイール
８  心棒
９  回転軸
１０  ハンドル
１１  針
１２  ニードル・アセンブリ収納コンパートメントの開口部
１３  円筒形の外側表面
１４  区分
１５  カバー部分
１６  ハンドルの開口部
１７  制限部材
１８  ストップ
１９  当接面
２０  円板
２１  円板用の開口部
２２  円板の開口部
２３  トラック
ｘ、ｙ、ｚ  方向
【図１】
2014522262.tif 000003
【図２】
2014522262.tif 000004
【図３】
2014522262.tif 000005
【図４】
2014522262.tif 000006
【図５】
2014522262.tif 000007
【図６】
2014522262.tif 000008
【国際調査報告】
2014522262.tif 000009
2014522262.tif 000010
2014522262.tif 000011